(57)【要約】      （修正有）【課題】電源スイッチの誤操作を防止できるプリンターを提供する。【解決手段】プリンター１は、印刷を行う印刷処理部と印刷処理部を駆動制御する演算処理部と、演算処理部および印刷処理部の電源を切断する電源スイッチ１５と、演算処理部および印刷処理部を収納しているプリンターケース３と、スイッチカバー２１を有する。スイッチカバー２１は、プリンターケース３のケース前面６に固定されて電源スイッチ１５を包囲する枠部材２２と蓋部材２３を備える。蓋部材２３は枠部材２２に回動可能に支持されて、電源スイッチ１５を操作不能な状態に遮蔽する閉位置２３Ａと、電源スイッチ１５の遮蔽を解除する開位置２３Ｂとの間を移動する。【選択図】図１
2015020378.tif 000002
【特許請求の範囲】
【請求項１】
印刷を行う印刷処理部と、
前記印刷処理部と接続し、前記印刷処理部との通信を制御する演算処理部と、
前記演算処理部および前記印刷処理部への電源の供給を切り換える電源スイッチと、
前記電源スイッチを操作不能に遮蔽する閉位置及び前記電源スイッチの遮蔽を解除する開位置へ移動する蓋部材と、
を有することを特徴とするプリンター。
【請求項２】
前記印刷処理部をリセットするリセットスイッチを有する請求項１に記載のプリンター。
【請求項３】
前記リセットスイッチは、前記蓋部材によって遮蔽されない位置に設けられる請求項２に記載のプリンター。
【請求項４】
前記リセットスイッチは、前記蓋部材が前記閉位置にあると操作不能に遮蔽され、前記蓋部材が前記開位置にあると当該蓋部材による遮蔽が解除される請求項２に記載のプリンター。
【請求項５】
前記演算処理部および前記印刷処理部を収納するケースと、
前記ケースに固定されて前記電源スイッチを囲い、前記蓋部材を支持する枠部材と、を有する請求項１ないし４のいずれか１項に記載のプリンター。
【請求項６】
前記枠部材は、前記蓋部材の一端を支持する支持部を有し、
前記蓋部材の他端は、前記支持部の回りを鉛直方向に移動する請求項５に記載のプリンター。
【請求項７】
データの送信もしくは受信を行うデバイスと、
前記デバイスと接続する接続部、印刷を行う印刷処理部、前記印刷処理部及び前記接続部に接続された前記デバイスとの通信を制御する演算処理部、前記演算処理部および前記印刷処理部への電源の供給を切り換える電源スイッチ、及び前記電源スイッチを操作不能に遮蔽する閉位置と前記電源スイッチの遮蔽を解除する開位置との間を移動する蓋部材を有するプリンターと、
を備えることを特徴とする印刷システム。
【請求項８】
前記プリンターは、前記印刷処理部をリセットするリセットスイッチを有する請求項７に記載の印刷システム。
【発明の詳細な説明】
【技術分野】
【０００１】
本発明は、電源スイッチが誤って操作されてしまうことを防止するプリンターおよび印刷システムに関する。
【背景技術】
【０００２】
店舗のレジカウンターなどに設置されてクレジットカードの処理端末などの周辺機器が接続されているプリンターの中には、印刷を行う印刷処理部と、コンピューターと同様の機能を備える演算処理部を搭載しているものがある。演算処理部では印刷処理部を駆動制御するプリンタードライバーや周辺機器を駆動制御するデバイスドライバーなどのドライバーソフトウエアが動作している。このようなプリンターは、特許文献１に記載されている。
【先行技術文献】
【特許文献】
【０００３】
【特許文献１】特開２００８−１７１３０３号公報
【発明の概要】
【発明が解決しようとする課題】
【０００４】
演算処理部を搭載しているプリンターでは、電源スイッチをオンにすると、コンピューターの電源スイッチをオンにした場合と同様の起動処理動作が行われる。すなわち、演算処理部においてオペレーティングシステムを立ち上げ、プリンタードライバーやデバイスドライバーをロードして印刷処理部およびプリンターに接続されている周辺機器の駆動制御を可能とする。従って、顧客の会計処理を行おうとしているときにオペレーターや顧客が誤ってプリンターの電源スイッチに触れて電源スイッチをオフにしてしまうと、電源スイッチをオンにしてからプリンターが印刷可能な状態に復帰するまでに時間がかかり、顧客を待たせてしまう可能性がある。
【０００５】
本発明の課題は、このような点に鑑みて、電源スイッチが誤って操作されてしまうことを防止するプリンター及び印刷システムを提供することにある。
【課題を解決するための手段】
【０００６】
上記の課題を解決するために、本発明のプリンターは、印刷を行う印刷処理部と、前記印刷処理部と接続し、前記印刷処理部との通信を制御する演算処理部と、前記演算処理部および前記印刷処理部への電源の供給を切り換える電源スイッチと、前記電源スイッチを操作不能に遮蔽する閉位置及び前記電源スイッチの遮蔽を解除する開位置へ移動する蓋部材と、を有することを特徴とする。
【０００７】
本発明によれば、プリンターは電源スイッチを遮蔽することが可能なスイッチカバーを備えている。従って、電源スイッチが誤って操作されてしまうことを防止できる。
【０００８】
本発明において、前記印刷処理部をリセットするリセットスイッチを有することが望ましい。すなわち、プリンターがエラー状態に陥って印刷ができなくなった場合に、エラーの原因が印刷処理部に存在し、演算処理部には存在していない場合がある。このような場合に、印刷処理部をリセットするリセットスイッチを備えていれば、演算処理部のリセットを行わず、印刷処理部の機能を回復させることができる。また、印刷処理部のみをリセットすれば、印刷処理部と演算処理部を同時にリセットする場合と比較して、プリンターを短時間で印刷可能な状態に復帰させることができる。また、このようにすれば、演算処理部で行われている演算処理動作を継続させながら、印刷処理部のリセットを行うことができる。
【０００９】
この場合において、前記リセットスイッチは、前記蓋部材によって遮蔽されない位置に設けられることが望ましい。このようにすれば、リセットスイッチを操作することが容易となる。また、リセットスイッチを操作する際に電源スイッチを蓋部材で遮蔽された状態としておくことができるので、リセットスイッチを操作する際に誤って電源スイッチが操作されてしまうことを防止できる。
【００１０】
本発明において、前記リセットスイッチは、前記蓋部材が前記閉位置にあると操作不能に遮蔽され、前記蓋部材が前記開位置にあると当該蓋部材による遮蔽が解除されるようにしてもよい。このようにすれば、リセットスイッチが誤って操作されてしまうことを防止できる。
【００１１】
本発明において、前記演算処理部および前記印刷処理部を収納するケースと、前記ケースに固定されて前記電源スイッチを囲い、前記蓋部材を支持する枠部材と、を有することが望ましい。このようにすれば、簡易な構成で電源スイッチを遮蔽できる。
【００１２】
次に、本発明の印刷システムは、データの送信もしくは受信を行うデバイスと、前記デバイスと接続する接続部、印刷を行う印刷処理部、前記印刷処理部及び前記接続部に接続された前記デバイスとの通信を制御する演算処理部、前記演算処理部および前記印刷処理部への電源の供給を切り換える電源スイッチ、及び前記電源スイッチを操作不能に遮蔽する閉位置と前記電源スイッチの遮蔽を解除する開位置との間を移動する蓋部材を有するプリンターと、を備えることを特徴とする。
【００１３】
本発明によれば、プリンターは電源スイッチを遮蔽することが可能なスイッチカバーを備えている。従って、プリンターの電源スイッチが誤って操作されて、印刷が不能となることを防止できる。
【００１４】
本発明において、前記プリンターは、前記印刷処理部をリセットするリセットスイッチを有することが望ましい。このようにすれば、演算処理部のリセットを行わず、印刷処理部の機能を回復させることができる。また、印刷処理部のみをリセットすれば、印刷処理部と演算処理部を同時にリセットする場合と比較して、プリンターを短時間で印刷可能な状態に復帰させることができる。また、このようにすれば、演算処理部で行われている演算処理動作を継続させながら、印刷処理部のリセットを行うことができる。
【図面の簡単な説明】
【００１５】
【図１】本発明を適用したプリンターを示す斜視図および正面図である。
【図２】図１のプリンターの概略ブロック図である。
【図３】スイッチカバーの説明図である。
【図４】蓋部材の斜視図である。
【図５】蓋部材の説明図である。
【図６】スイッチカバーの開閉動作の説明図である。
【図７】スイッチカバーを備えるプリンターの別の例を示す正面図である。
【発明を実施するための形態】
【００１６】
以下に、図面を参照して、本発明を適用した実施の形態であるプリンターを説明する。
【００１７】
（プリンター）
図１（ａ）は本発明を適用したプリンターを前方の斜め上方から見た場合の斜視図であり、図１（ｂ）はプリンターの正面図である。本例のプリンター１は、ロール紙プリンターであり、店舗のレジカウンターに設置されて用いられる。プリンター１は、プリンターケース３の内部に収納したロール紙から繰り出される記録紙にレシートなどを印刷する。なお、以下では、互いに直交する３方向をＸ方向、Ｙ方向およびＺ方向として説明する。Ｘ方向はプリンター幅方向であり、Ｙ方向はプリンター前後方向であり、Ｚ方向はプリンター上下方向である。
【００１８】
プリンターケース３は樹脂製である。プリンターケース３は、図１（ａ）に示すように、Ｙ方向の前方に向かって下方に傾斜しているケース上面５と、ケース上面５の前端の縁から下方に向かって後方に傾斜した後に下方に向かって延びているケース前面６と、ケース上面５のＸ方向の左右の縁から下方に向かって延びた後に、内側に窪む段部を介してさらに下方に向かって延びている左右のケース側面７、８と、ケース上面５の後側の縁から後側に向かって下方に湾曲した後に下方に向かって前方に傾斜して延びているケース背面９と、プリンターケース３の鉛直方向の下面であるケース底面１０を備えている。左右のケース側面７、８は、上端縁がケース上面５のＸ方向の左右の縁に連続しており、前端縁がケース前面６のＸ方向の左右の縁に連続している。また、左右のケース側面７、８は、後端縁がケース背面９のＸ方向の左右の縁に連続しており、下端縁がケース底面１０のＸ方向の左右の縁に連続している。
【００１９】
プリンターケース３のケース上面５には、前側開閉蓋１１および後側開閉蓋１２が取り付けられている。前側開閉蓋１１はその前端縁部分を中心にして回動して開閉するようになっており、後側開閉蓋１２はその後端縁部分を中心に回動して開閉するようになっている。前側開閉蓋１１と後側開閉蓋１２との間には所定幅の矩形の排紙口１３が形成されている。排紙口１３のＸ方向の右側には、ケース上面５の縁部分に後側開閉蓋１２と開閉する開閉操作ボタン１４が設けられている。開閉操作ボタン１４を下方に向かって押し込むと、後側開閉蓋１２のロックが解除され、後側開閉蓋１２はばね力などの押圧力によって上方に回動して開いた状態になる。後側開閉蓋１２が開くとロール紙を収納するロール紙収納部が開放状態になるので、ロール紙をロール紙収納部に装填することが可能になる。
【００２０】
プリンターケース３のケース前面６には、電源スイッチ１５とリセットスイッチ１６が設けられている。電源スイッチ１５は押し込みによって電源のオンとオフを切り換えるものである。ケース前面６には矩形の電源スイッチ用開口部１７が形成されており、電源スイッチ１５の操作面は電源スイッチ用開口部１７の内周側に位置している。
【００２１】
リセットスイッチ１６はケース前面６のＸ方向の中央よりも右側であって、電源スイッチ１５よりもＸ方向の左側に位置している。ケース前面６にはリセットスイッチ用開口部１８が形成されており、リセットスイッチ１６の操作面はリセットスイッチ用開口部１８の内周側に位置している。リセットスイッチ用開口部１８は円形であり、電源スイッチ開口部１７よりも小さい。リセットスイッチ１６はペン先などで押し込むことによって操作される。
【００２２】
ケース前面６には、電源スイッチ１５を被うことが可能なスイッチカバー２１が取り付けられている。スイッチカバー２１は、ケース前面６に固定されて電源スイッチ１５を包囲する枠部材２２と、枠部材２２に回動可能に支持された蓋部材２３を備えている。本例では、枠部材２２は接着剤によってケース前面６に固定されている。蓋部材２３は、枠部材２２の内周側の開口部２４よりも上方でＸ方向に延びる軸線Ｌ回りに回動する。
【００２３】
枠部材２２の開口部２４は電源スイッチ用開口部１７よりも大きい。図１（ｂ）に示すように、スイッチカバー２１は枠部材２２の開口部２４の上端縁を電源スイッチ開口部１７の上端縁に一致させた状態でケース前面６に固定されている。リセットスイッチ１６は枠部材２２の外周側に位置しており、スイッチカバー２１から外れている。すなわち、リセットスイッチ１６は蓋部材２３により遮蔽されない位置にある。
【００２４】
蓋部材２３は、図１（ｂ）に点線で示すように、枠部材２２の開口部２４を封鎖して電源スイッチ１５を操作不能な状態に遮蔽する閉位置２３Ａと、図１（ｂ）に実線で示すように、開口部２４を開放して電源スイッチ１５の遮蔽を解除する開位置２３Ｂの間を移動可能である。蓋部材２３を開位置２３Ｂから閉位置２３Ａに移動させる際には、図１（ａ）の矢印に示すように、蓋部材２３を前方に向かって回動させる。ここで、蓋部材２３が開位置２３Ｂに配置された状態では軸線Ｌが蓋部材２３の下端部分をＸ方向に通過している。従って、開位置２３Ｂに配置された蓋部材２３は自重によって閉位置２３Ａに移動するものとなっている。蓋部材２３が閉位置２３Ａに配置された状態では、軸線Ｌは蓋部材２３の上端部分をＸ方向に通過している。なお、スイッチカバー２１の詳細は後述する。
【００２５】
（制御系）
図２はプリンター１の制御系を示す概略ブロック図である。プリンター１は、外部から所定電圧の直流の電源電力の供給を受ける電源制御部３０と、印刷を行う印刷処理部３１と、印刷処理部３１を駆動制御する演算処理部３２を搭載している。電源制御部３０は電源スイッチ１５を備えており、電源スイッチ１５の操作によって電源がオンとされると、電源制御部３０は外部から供給される電源電力を印刷処理部３１および演算処理部３２に供給する。
【００２６】
印刷処理部３１は、ＣＰＵ、ＲＯＭ、ＲＡＭなどを備える印刷制御部３５を含む構成である。印刷制御部３５の入力側には通信インターフェース３６が接続されている。印刷制御部３５の出力側には、印刷ヘッド３７と搬送モーター３８が接続されている。搬送モーター３８は、印刷ヘッド３７を経由する搬送路に沿ってロール紙から繰り出される記録紙を搬送する搬送機構の駆動源である。
【００２７】
演算処理部３２は、パーソナルコンピューターと同様の機能を備えており、ＣＰＵ、ＲＯＭ、ＲＡＭなどを備える中央制御部４０を含む構成である。中央制御部４０には、通信インターフェース４１、複数のＵＳＢポート（接続部）４２、ＶＧＡコネクター４３、ネットワークコネクター（接続部）４４などが接続されている。演算処理部３２の通信インターフェース４１は印刷処理部３１の通信インターフェース３６に接続されており、これにより、演算処理部３２と印刷処理部３１は通信可能になっている。ＵＳＢポート４２、ＶＧＡコネクター４３およびネットワークコネクター４４は、ケース背面９に設けられたコネクター搭載部（不図示）に搭載されている。
【００２８】
中央制御部４０は、ＯＳ（オペレーティングシステム）を動作させるＯＳ実行部４５、印刷処理部３１を駆動制御するＡＰＩ等のソフトウェアーを動作させるプリンター実行制御部４６、ＵＳＢポート４２に接続される周辺機器を駆動制御するソフトウェアーを動作させるデバイス実行制御部４７を備えている。
【００２９】
なお、本例では、ネットワークコネクター４４にはネットワークケーブル４８を介してタブレット端末（デバイス）４９が接続されている。中央制御部４０はネットワークコネクター４４を介した通信を制御しており、タブレット端末４９と演算処理部３２の間でデータの送受信が可能となっている。タブレット端末４９から演算処理部３２には印刷データなどが供給される。タブレット端末４９とプリンター１は印刷システム５０を構成している。
【００３０】
リセットスイッチ１６は、印刷処理部３１にリセット信号を入力するものである。リセットスイッチ１６は印刷処理部３１が復旧不能なエラー状態に陥って印刷ができなくなった場合などに押し込まれる。リセットスイッチ１６が押し込まれて印刷処理部３１にリセット信号が入力されると印刷処理部３１はリセットされる。これにより、印刷処理部３１はその機能を回復する。なお、リセットは印刷処理部３１を電源投入時の状態に戻す初期化動作である。リセットスイッチ１６が押し込まれた場合には、演算処理部３２はリセットされず、印刷処理部３１がリセットされる。
【００３１】
ここで、本例では、プリンター１が電源スイッチ１５を操作不能な状態に遮蔽することが可能なスイッチカバー２１を備えている。従って、電源スイッチ１５が誤って操作されてしまうことを防止できる。
【００３２】
一方、リセットスイッチ１６は蓋部材２３によって遮蔽されない位置に設けられている。従って、リセットスイッチ１６を操作することが容易である。また、リセットスイッチ１６を操作する際に電源スイッチ１５を蓋部材２３で遮蔽された状態としておくことができるので、リセットスイッチ１６を操作する際に、誤って電源スイッチ１５が操作されてしまうことを防止できる。
【００３３】
（スイッチカバー）
次に、スイッチカバー２１を詳細に説明する。なお、以下では、スイッチカバー２１がプリンター１に固定されている姿勢を基準としてスイッチカバー２１を説明する。従って、Ｘ方向はスイッチカバー２１の幅方向であり、Ｙ方向はスイッチカバー２１の前後方向であり、Ｚ方向はスイッチカバー２１の上下方向である。図３（ａ）は蓋部材２３が閉位置２３Ａに配置されているスイッチカバー２１の正面図および側面図であり、図３（ｂ）は蓋部材２３が開位置２３Ｂに配置されているスイッチカバー２１の正面図および側面図である。図４（ａ）は蓋部材２３を前方の斜め上方から見た場合の斜視図であり、図４（ｂ）は蓋部材２３を後方の斜め下方から見た場合の斜視図である。図５（ａ）は蓋部材２３の正面図およびその支軸周辺の部分拡大図であり、図５（ｂ）は蓋部材２３の上面図およびその支軸周辺の部分拡大図であり、図５（ｃ）は蓋部材２３の側面図およびその支軸周辺の部分拡大図である。
【００３４】
スイッチカバー２１は枠部材２２と蓋部材２３から構成されている。枠部材２２および蓋部材２３はいずれも樹脂製である。枠部材２２は、図３（ｂ）に示すように、開口部２４が形成されている枠板部５１と、開口部２４をＸ方向で間に挟んだ枠板部５１の縦枠部分５１ａからＹ方向の前方に突出する一対の支持部５２を備える。枠板部５１において開口部２４の下側に位置する下枠部分５１ｂには、前方に突出する段部５４が設けられている。
【００３５】
枠板部５１の背面は平坦面であり、プリンターケース３のケース前面６に固定される固定面となる。一対の支持部５２は開口部２４を間に挟んでＸ方向で対向しており、縦枠部分５１ａの全域に渡ってＺ方向に延びている。軸線Ｌは、開口部２４の上方において、一対の支持部５２の上端部分を通過している。一対の支持部５２の内向き面の上端部分にはＸ方向に窪む円形の凹部５３が軸線Ｌと同軸に設けられている。枠部材２２をＸ方向から見た形状は上辺および下辺がＺ方向に延びる台形であり、寸法の短い上辺が寸法の長い下辺よりもＹ方向の前方に位置している。
【００３６】
図３に示すように、蓋部材２３は、Ｘ方向において、一対の支持部５２の間に配置されている。図３（ａ）に示すように、軸線Ｌは、蓋部材２３が閉位置２３Ａに配置されているときに、Ｚ方向（直交方向）における蓋部材２３の上端部分を通過している。蓋部材２３が開位置２３Ｂに配置されると、図３（ｂ）に示すように、軸線Ｌは、Ｚ方向における蓋部材２３の下端部分を通過することになる。
【００３７】
図４に示すように、蓋部材２３は、蓋部材２３が閉位置２３Ａに配置された状態で、Ｚ方向の中央部分に位置する矩形の蓋本体５５を備えている。蓋本体５５は板状であり、一定厚さを備えている。蓋本体５５の下側には、蓋本体５５の下端縁から連続して前方に向かって下方に傾斜する板状の摘み部５６が設けられている。蓋部材２３が閉位置２３Ａに配置されると、蓋本体５５は、その裏面５５ｂを開口部２４に対向させて、開口部２４を被う。
【００３８】
蓋本体５５の裏面５５ｂには、フック（係止部）５７が設けられている。フック５７は、蓋部材２３が閉位置２３Ａに配置されたときに、Ｙ方向の後方に延びている。フック５７は、蓋部材２３が閉位置２３Ａに配置された状態で、厚み方向をＺ方向に向けている平板部５７ａと、平板部５７ａの後端のＸ方向の中央部分から下方に突出する突起５７ｂを備えている。
【００３９】
蓋部材２３が閉位置２３Ａに配置された状態で、蓋本体５５の上端部分のＸ方向の両端縁には、Ｙ方向の後方に向かって突出する一対の突部５８が設けられている。一対の突部５８は、板状であり、その厚み方向をＸ方向に向けている。一対の突部５８の上側にはＸ方向に延びてこれら一対の突部５８を連結する連結板５９が架け渡されている。連結板５９は蓋本体５５の上端縁から連続して上方に向かって後方に湾曲している。
【００４０】
一対の突部５８の外向き面のそれぞれには、Ｘ方向に突出する支軸６０が設けられている。蓋部材２３は、一対の突部５８から突出している一対の支軸６０のそれぞれが枠部材２２の一対の支持部５２に設けられた各凹部５３に挿入されることにより、軸線Ｌ回りに回動可能な状態で枠部材２２に支持される。
【００４１】
ここで、図５（ａ）および図５（ｃ）に示すように、各支軸６０には、蓋部材２３が閉位置２３Ａに配置されているときに、支軸６０の先端から離れる方向に向かって蓋部材２３の下端部分に向かう方向（摘み部５６に向かう方向）に傾斜する第１傾斜面６１が設けられている。また、図５（ｂ）および図５（ｃ）に示すように、各支軸６０には、蓋部材２３が閉位置２３Ａに配置されているときに、支軸６０の先端から離れる方向に向かって前方（開口部２４から離れる方向）に傾斜する第２傾斜面６２が設けられている。
【００４２】
（スイッチカバーの開閉動作および蓋部材の枠部材への嵌め込み動作）
図６（ａ）はスイッチカバー２１の開動作の説明図であり、図６（ｂ）は蓋部材２３の枠部材２２への嵌め込み動作の説明図である。図６では第１傾斜面６１および第２傾斜面６２の傾斜方向が分かるように枠部材２２の一方の支持部５２を省略して示している。
【００４３】
スイッチカバー２１は、図１に示すように、プリンターケース３に固定されて使用される。すなわち、枠部材２２によって電源スイッチ１５を包囲した状態として、枠板部５１の背面をケース前面６に接着固定する。スイッチカバー２１が閉じられている状態では、蓋部材２３は閉位置２３Ａに配置され、電源スイッチ１５を操作不能な状態に遮蔽している。
【００４４】
蓋部材２３が閉位置２３Ａに配置された状態では、図３（ａ）に示すように、蓋本体５５が開口部２４を前方から被っている。この状態では、蓋本体５５は一対の支持部５２の内側の空間に嵌合した状態となり、摘み部５６だけが一対の支持部５２よりも前方に突出している。また、蓋部材２３が閉位置２３Ａに配置された状態では、蓋本体５５の裏面５５ｂに設けられたフック５７が枠部材２２の段部５４に係止している。従って、蓋部材２３は閉位置２３Ａで安定している。
【００４５】
スイッチカバー２１を開く場合には、操作者は蓋部材２３の摘み部５６を前方に向かって引っ張り、しかる後に蓋部材２３を軸線Ｌ回りの上方に約１８０°回動させる。これにより蓋部材２３は開位置２３Ｂに配置される。蓋部材２３が開位置２３Ｂに配置されると枠部材２２の開口部２４が開放状態となるので、蓋部材２３による電源スイッチ１５の遮蔽が解除され、電源スイッチ１５を操作することが可能となる。蓋部材２３が開位置２３Ｂに配置された状態では、図３（ｂ）に示すように、摘み部５６が上方に位置しており、蓋本体５５の裏面５５ｂがＹ方向の前方を向いている。
【００４６】
ここで、図６（ａ）に示すように、スイッチカバー２１を開くために操作者が蓋部材２３の摘み部５６を前方に向かって引っ張ったときに、蓋部材２３に対して軸線Ｌから半径方向の外側に向かう大きな力Ｆが加わることがある。また、このような場合には、支軸６０が折れるなどの損傷が発生する可能性がある。
【００４７】
かかる問題に対して、本例では、各支軸６０に第１傾斜面６１が設けられているので、蓋部材２３を引っ張る操作者によって蓋部材２３に軸線Ｌから半径方向の外側に向かう大きな力Ｆが加えられたときに、支軸６０が凹部５３から外れる。すなわち、支軸６０において引っ張る力Ｆが加わる方向に第１傾斜面６１が形成されているので、支軸６０が凹部５３から抜け易く、支軸６０が損傷する前に凹部５３から外れる。従って、支軸６０の損傷を回避できる。
【００４８】
そして、支軸６０が凹部５３から抜けて蓋部材２３が枠部材２２から外れた場合には、第２傾斜面６２を利用して蓋部材２３の各支軸６０を一対の支持部５２の各凹部５３に挿入することができる。すなわち、図６（ｂ）に示すように、蓋部材２３の裏面５５ｂを開口部２４とは反対側に向けて第２傾斜面６２を枠部材２２の側に向けた状態とし、Ｚ方向で蓋部材２３の支軸６０と枠部材２２の一対の支持部５２の凹部５３を同じ高さ位置とし、しかる後に蓋部材２３を枠部材２２に押し込む。これにより、各支軸６０は第２傾斜面６２の側から各凹部５３に挿入されるので、蓋部材２３を一対の支持部５２に支持させる嵌め込み作業が容易となる。また、嵌め込み作業に際して支軸６０を損傷させてしまうことを防止できる。
【００４９】
（その他の実施の形態）
なお、各支軸６０に設けられた第２傾斜面６２の傾斜方向は、第１傾斜面６１とは異なる方向であって、当該支軸６０の先端から離れる方向に向かって軸線Ｌから離れる方向であれば、いずれの方向でもよい。
【００５０】
また、一対の支持部５２のそれぞれに蓋部材２３の側に突出する支軸を設け、蓋部材２３に各支軸を受け入れ可能な凹部を設けることにより、一対の支持部５２が蓋部材２３を回動可能に支持してもよい。ただし、このような構成を採用したときには、万が一支軸が損傷した場合に、プリンターケース３に固定されている枠部材２２を交換しなければスイッチカバー２１を修理できない。従って、蓋部材２３に支軸６０を備る構成を採用しておくことが好ましい。
【００５１】
また、スイッチカバー２１は、枠部材２２におけるプリンターケース３への固定面に一方の粘着面が貼り付けられている両面テープを備えるものとしてもよい。このようにすれば、両面テープによって、スイッチカバー２１をプリンターケース３に固定することができる。
【００５２】
また、リセットスイッチ１６は、蓋部材２３が閉位置２３Ａに配置されると当該蓋部材２３によって操作不能な状態に遮蔽され、蓋部材２３が開位置２３Ｂに配置されると当該蓋部材２３による遮蔽が解除されるものとしてもよい。なお、図７はスイッチカバー２１を備えるプリンターの別の例を示す正面図である。図７のプリンター１Ａは上記のプリンター１と同様の構成を備えているので対向する構成に同一の符号を付して、その説明を省略する。
【００５３】
図７に示すプリンター１Ａでは、プリンターケース３のケース前面６にスイッチカバー２１を固定する際に、枠部材２２によって電源スイッチ１５およびリセットスイッチ１６の双方を包囲している。このようにすれば、電源スイッチ１５およびリセットスイッチ１６の双方が誤って操作されてしまうことを防止できる。
【００５４】
なお、上記の例では、一対の支持部５２が蓋部材２３を回動可能に支持する軸線ＬはＸ方向に延びているが、スイッチカバー２１を横向きにし、軸線ＬがＺ方向に延びる姿勢でスイッチカバー２１をプリンターケース３に取り付けてもよい。
【００５５】
また、上記の例では、枠部材２２の一対の支持部５２は、蓋部材２３を回動可能に支持しているが、一対の支持部５２が蓋部材２３をＺ方向にスライド可能に支持し、蓋部材２３が上方の開位置２３Ｂと、下方の閉位置２３Ａの間を移動するように構成することもできる。
【００５６】
さらに、上記の例は、プリンター１にスイッチカバー２１を搭載したものであるが、上述の演算処理部を搭載しているスキャナー、ファクシミリ、コピー装置、電源装置等の電子機器において電源スイッチ１５の誤操作を防止する本発明のスイッチカバー２１を搭載できる。
【符号の説明】
【００５７】
１・１Ａ・・プリンター、３・・プリンターケース、５・・ケース上面、６・・ケース前面、７・・ケース側面、９・・ケース背面、１０・・ケース底面、１１・・前側開閉蓋、１２・・後側開閉蓋、１３・・排紙口、１４・・開閉操作ボタン、１５・・電源スイッチ、１６・・リセットスイッチ、１７・・電源スイッチ開口部、１８・・リセットスイッチ開口部、２１・・スイッチカバー、２２・・枠部材、２３・・蓋部材、２３Ａ・・閉位置、２３Ｂ・・開位置、２４・・開口部、３０・・電源制御部、３１・・印刷処理部、３２・・演算処理部、３５・・印刷制御部、３６・・通信インターフェース、３７・・印刷ヘッド、３８・・搬送モーター、４０・・中央制御部、４１・・通信インターフェース、４２・・ＵＳＢポート（接続部）、４３・・ＶＧＡコネクター、４４・・ネットワークコネクター（接続部）、４５・・ＯＳ実行部、４６・・プリンター実行制御部、４７・・デバイス実行制御部、４８・・ネットワークケーブル、４９・・タブレット端末（デバイス）、５０・・印刷システム、５１・・枠板部、５１ａ・・縦枠部分、５１ｂ・・下枠部分、５２・・支持部、５３・・凹部、５４・・段部、５５・・蓋本体、５５ｂ・・裏面、５６・・摘み部、５７・・フック、５７ａ・・平板部、５７ｂ・・突起、５８・・突部、５９・・連結板、６０・・支軸、６１・・傾斜面、６２・・傾斜面、Ｆ・・力、Ｌ・・軸線
【図１】
2015020378.tif 000003
【図２】
2015020378.tif 000004
【図３】
2015020378.tif 000005
【図４】
2015020378.tif 000006
【図５】
2015020378.tif 000007
【図６】
2015020378.tif 000008
【図７】
2015020378.tif 000009